(57)【要約】【課題】ロール紙の表裏を間違いなく装填でき、記録済みのロール紙の管理を容易にすることができる記録装置を提供する。【解決手段】ロール紙を供給するロール紙供給部と、ロール紙供給部から引出されたロール紙を巻取るロール紙巻取部と、ロール紙供給部から引出されたロール紙をロール紙巻取部へ案内するガイド部と、ガイド部の搬送経路の途中に設けられた印字部とを備えた記録装置において、ガイド部に識別マーク検知センサを設けると共にロール紙に識別マークを印刷しておき、ロール紙供給部に新たなロール紙を装填したときにガイド部に案内されて搬送されるロール紙の識別マークを識別マーク検知センサが検知してロール紙の表裏を判定する。  また、ロール紙をロール紙巻取部から取外すときに、印字部がロール紙の末尾部にロール紙の取外日時等の管理情報を印字する。【選択図】        図５
2005206349.tif 000002
【特許請求の範囲】
【請求項１】
ロール紙を供給するロール紙供給部と、該ロール紙供給部から引出されたロール紙を巻取るロール紙巻取部と、前記ロール紙供給部から引出されたロール紙を前記ロール紙巻取部へ案内するガイド部とを備えた記録装置において、
ガイド部に識別マーク検知センサを設けると共に前記ロール紙に識別マークを印刷しておき、
前記ロール紙供給部に新たなロール紙を装填したときに、前記ガイド部に案内されて搬送されるロール紙の識別マークを、前記識別マーク検知センサが検知して前記ロール紙の表裏を判定することを特徴とする記録装置。
【請求項２】
請求項１において、
前記識別マーク検知センサが、前記ロール紙の識別マークを検知しない時に、該ロール紙を前記ロール紙供給部に巻戻すことを特徴とする記録装置。
【請求項３】
ロール紙を供給するロール紙供給部と、該ロール紙供給部から引出されたロール紙を巻取るロール紙巻取部と、前記ロール紙供給部から引出されたロール紙を前記ロール紙巻取部へ案内するガイド部と、該ガイド部の搬送経路の途中に設けられた印字部とを備えた記録装置において、
ロール紙を前記ロール紙巻取部から取外すときに、前記印字部が前記ロール紙の末尾部に前記ロール紙の取外日時を印字することを特徴とする記録装置。
【請求項４】
請求項３において、
前記ロール紙の先端を前記ロール紙巻取部に巻付けるときに、前記印字部が前記ロール紙の先端部に前記ロール紙の取付日時を印字することを特徴とする記録装置。
【請求項５】
ロール紙を供給するロール紙供給部と、該ロール紙供給部から引出されたロール紙を巻取るロール紙巻取部と、前記ロール紙供給部から引出されたロール紙を前記ロール紙巻取部へ案内するガイド部と、該ガイド部の搬送経路の途中に設けられた印字部とを備えた記録装置において、
前記ロール紙供給部から引出されたロール紙が、前記ガイド部を経由して前記ロール紙巻取部に巻取られている状態で、前記ロール紙が前記ロール紙供給部に巻戻されたときに、前記印字部が前記ロール紙の印字済領域に続けてその日時を印字することを特徴とする記録装置。
【発明の詳細な説明】
【技術分野】
【０００１】
本発明は、金融機関等に設置された現金自動預払機等の自動取引装置に装着され、履歴情報等を記録する記録装置に関する。
【背景技術】
【０００２】
従来の記録装置は、ロール状の記録用紙（ロール紙という。）を供給するロール紙供給部から引出されたロール紙を、その途中に印字部を有するガイド部によってロール紙巻取部へ導き、ロール紙巻取部でロール紙を巻取りながら印字部により履歴情報等を印字して記録し、係員がロール紙にサインや印字内容の変更等を書込む場合には、書込窓の開作動を検知して自動的に印字済領域の最終行が書込窓から隠れるようにして不法な書込等を防止している（例えば、特許文献１参照。）。
【０００３】
また、上記と同様の記録装置において、ロール紙供給部に複数の未印字のロール紙を収納したロール紙供給機構を設け、紙詰まり検知センサやロール紙紙切れ検知センサがロール紙の交換時期を検知するとロール紙巻取部に巻取られたロール紙を自動的に排出してロール紙回収部に回収すると共に新たなロール紙をロール紙供給部に自動的に装填して印字許容状態にしているものもある（例えば、特許文献２参照。）。
【特許文献１】特開平４−２７２８７８号公報（第４頁段落００３２−第５頁段落００４１、第４図）
【特許文献２】特開平４−３１０７７３号公報（第３頁段落０００９−段落００１１、第１図）
【発明の開示】
【発明が解決しようとする課題】
【０００４】
しかしながら、上述した従来の特許文献２の技術においては、ロール紙の交換は自動的に行われるものの未印字のロール紙の補充は係員が行うものであるため、ロール紙の装填方向を間違えてロール紙供給機構に補充した場合には、ロール紙の表裏が反転し、ロール紙供給部からガイド部への経路が不正になって異常な負荷がロール紙に加わり、搬送ピッチずれによる印字の重複が発生する恐れがあるという問題がある。
【０００５】
また、ロール紙の回収時にロール紙が自動的に排出されてロール紙回収部に収納されてしまうため、複数の回収されたロール紙がロール紙回収部に存在する場合にはロール紙の区別がつけ難く記録済のロール紙の管理が困難になるという問題がある。
更に、従来の特許文献１の技術においては、不正な書込を防止するために書込窓にはロール紙の白紙の部分を停止させるようにしているため、係員が正しく印字内容を訂正する時には、訂正しようとする印字部分を視認することができないことがある他、その印字部分に直接書込むことができないという問題がある。
【０００６】
本発明は、上記の問題点を解決するためになされたもので、ロール紙の表裏を間違いなく装填でき、記録済みのロール紙の管理を容易にすることができ、不正な書込を抑制することができる記録装置を提供することを目的とする。
【課題を解決するための手段】
【０００７】
本発明は、上記課題を解決するために、ロール紙を供給するロール紙供給部と、該ロール紙供給部から引出されたロール紙を巻取るロール紙巻取部と、前記ロール紙供給部から引出されたロール紙を前記ロール紙巻取部へ案内するガイド部とを備えた記録装置において、ガイド部に識別マーク検知センサを設けると共に前記ロール紙に識別マークを印刷しておき、前記ロール紙供給部に新たなロール紙を装填したときに、前記ガイド部に案内されて搬送されるロール紙の識別マークを、前記識別マーク検知センサが検知して前記ロール紙の表裏を判定することを特徴とする。
【０００８】
また、ロール紙を供給するロール紙供給部と、該ロール紙供給部から引出されたロール紙を巻取るロール紙巻取部と、前記ロール紙供給部から引出されたロール紙を前記ロール紙巻取部へ案内するガイド部と、前記ガイド部の搬送経路の途中に設けられた印字部とを備えた記録装置において、ロール紙を前記ロール紙巻取部から取外すときに、前記印字部が前記ロール紙の末尾部に前記ロール紙の取外日時を印字することを特徴とする。
【０００９】
更に、ロール紙を供給するロール紙供給部と、該ロール紙供給部から引出されたロール紙を巻取るロール紙巻取部と、前記ロール紙供給部から引出されたロール紙を前記ロール紙巻取部へ案内するガイド部と、前記ガイド部の搬送経路の途中に設けられた印字部とを備えた記録装置において、前記ロール紙供給部から引出されたロール紙が、前記ガイド部を経由して前記ロール紙巻取部に巻取られている状態で、前記ロール紙が前記ロール紙供給部に巻戻されたときに、前記印字部が前記ロール紙の印字済領域に続けてその日時を印字することを特徴とする。
【発明の効果】
【００１０】
このように、本発明は、ロール紙のおもて面に印刷した識別マークをガイド部に設けた識別マーク検知センサにより検知してロール紙の表裏を判定するようにしたことによって、ロール紙の表裏を間違えることなくロール紙をロール紙供給部に装填することができ、搬送ピッチずれ等による印字の重複等を防止することができるという効果が得られる。
また、ロール紙の交換または回収の際にロール紙をロール紙巻取部から取外すときに、ロール紙の末尾部にロール紙の取外日時等を印字するようにしたことによって、ロール紙巻取部から取外した後のロール紙を視認により容易に区別することができ、履歴情報を記録したロール紙の管理を容易にして係員の負担を軽減することができるという効果が得られる。
【００１１】
更に、ロール紙がロール紙供給部から引出され、ガイド部を経由してロール紙巻取部に巻取られている状態で、ロール紙がロール紙供給部に巻戻されたとき、つまり履歴情報の検索が行われたときに、ロール紙の印字済領域に続けてその日時、つまり検索日時を印字するようにしたことによって、悪意による取引履歴の改竄や書込みを抑止することができると共に訂正すべき取引履歴に直接訂正やメモを書込むことができるという効果が得られる。
【発明を実施するための最良の形態】
【００１２】
以下に、図面を参照して本発明による記録装置の実施例について説明する。
【実施例】
【００１３】
図１は実施例の現金自動預払機を示すブロック図、図２は実施例のジャーナル印字装置を示すブロック図、図３は実施例のジャーナル印字装置の側面を示す説明図、図４は図３の下面を示す説明図である。
図１において、１は現金自動預払機であり、銀行等の金融機関や郵政公社、コンビニエンスストア等（金融機関等という。）の営業店や郵便局等の店舗に設置され、顧客との間で現金の取引を自動で行う。
【００１４】
２は現金自動預払機１のＡＴＭ制御部であり、専用回線や電話回線等の通信回線を介して金融機関等のセンタに設置された顧客の口座を管理する図示しないホストコンピュータと接続しており、現金自動預払機１内の各部を制御して顧客との取引処理や係員による業務処理等を実行すると共にデータ通信等も制御する。
３はＡＴＭ記憶部であり、ＡＴＭ制御部２が実行するプログラムやＡＴＭ制御部２による処理結果等が格納される。
【００１５】
４は顧客操作部であり、ＣＲＴやＬＣＤ等の表示画面とタッチパネル等の位置信号検出手段との組合せで構成されており、表示画面に取引選択画面や顧客の希望等を問合せる画面、顧客の処置を促す画面等を表示する一方、位置信号検出手段により顧客からの入力を受付ける。
５はカード取扱部であり、挿入された顧客のキャッシュカード等の取引カードの磁気ストライプに記録されているカード情報を読み書きすると共に取引明細票等を印刷する機能を有している。
【００１６】
６は通帳取扱部であり、挿入された顧客の通帳の磁気ストライプに記録されている通帳情報を読み書きすると共に取引内容等を顧客の通帳に記帳する機能を有している。
７は紙幣入出金部であり、顧客が投入した紙幣を受入れ、これを鑑別および計数して収納し、顧客に支払う紙幣を顧客に引渡す機能を有している。
８は硬貨入出金部であり、顧客が投入した硬貨を受入れ、これを鑑別および計数して収納し、顧客に支払う硬貨を顧客に引渡す機能を有している。
【００１７】
９は係員操作部であり、ＣＲＴやＬＣＤ等の表示画面とタッチパネル等の位置信号検出手段との組合せで構成されており、表示画面に係員が行う業務処理や取引モードの設定等を行う業務選択画面を表示すると共に、位置信号検出手段により係員からの入力を受付ける。
また、係員操作部９には係員カードの磁気ストライプに記録された係員カード情報を読取る通過式等のカードリーダが設けられている。
【００１８】
１０は記録装置としてのジャーナル印字装置であり、現金自動預払機１による顧客との取引処理の履歴や係員による業務処理の履歴等をロール紙Ｐに印字して記録する機能を有している。
図２において、１１はジャーナル印字装置１０のジャーナル制御部であり、インターフェース部１２を介して現金自動預払機１のＡＴＭ制御部２と接続しており、ＡＴＭ制御部２の指令を受信してジャーナル記憶部１３に格納されたプログラム等によりジャーナル印字装置１０内の各部を制御して各種の処理を実行する。
【００１９】
１４はロール紙供給部であり、図３に破線で示すフレーム１５に設けられた支持部１５ａに回転自在に支持されたロール紙供給軸１６に取付けられた未印字のロール紙Ｐを後述する印字部３０へ供給する。
なお、ロール紙Ｐは、予め未印字のロール紙Ｐを筒状の厚紙等に巻付けた状態でロール紙供給軸１６に取付けられ、図示しないピン等によりロール紙供給軸１６と一体に回転する。
【００２０】
１７はロール紙巻取部であり、フレーム１５に設けられた支持部１５ｂに回転自在に支持されたロール紙巻取軸１８に印字済のロール紙Ｐを巻取る。
ロール紙供給軸１６およびロール紙巻取軸１８の一方の端部には、それぞれ図４に示すＵ字溝１９が設けられており、巻取モータ２０により回転駆動されるカップギア２１の突出部に設けられた２面幅が遊嵌する。
【００２１】
２２はガイド部であり、ロール紙供給部１４から引出されたロール紙Ｐをロール紙巻取部１７へ案内する搬送経路であって、ロール紙Ｐの表裏を規制するため隙間を介して対向配置されたロール紙ガイド２３と、ガイドローラ２４ａ、２４ｂ、２４ｃおよびロール紙Ｐを挟持する一対のフィードローラ２５とで形成されている。
２６は搬送モータであり、フィードローラ２５の一方を正逆可能に回転させ、他方により押圧挟持されたロール紙Ｐを図３、図４に矢印Ｆで示すフィード方向およびその反対方向であるバックフィード方向に搬送する。
【００２２】
本実施例では、ロール紙Ｐの搬送量を制御するためにステッピングモータが用いられており、１ステップ当たりのフィードローラ２５の回転量とその外径寸法を知ればステップ数によりロール紙Ｐの搬送量を制御することができる。
巻取モータ２０は、搬送モータ２６と連動して正逆可能に回転し、フィード方向にロール紙Ｐを搬送（フィード搬送という。）するときは図示しないギア列またはベルトを介してカップギア２１によりロール紙巻取軸１８を巻取方向に回転させ、バックフィード方向にロール紙Ｐを搬送（バックフィード搬送という。）するときは図示しないギア列またはベルトを介してカップギア２１によりロール紙供給軸１６を巻取方向に回転させる切替機構を備えている。
【００２３】
２７はセットスイッチであり、中立位置でＯＦＦ、その両側でＯＮとなる３ポジションのスイッチであって、一の側をＯＮにすることによりロール紙Ｐをフィード方向に搬送し、他の側をＯＮにすることによりロール紙Ｐをバックフィード方向に搬送するように構成されており、それぞれのポジションを示すための発行素子（例えばＬＥＤ（Ｌｉｇｈｔ  Ｅｍｉｔｔｉｎｇ  Ｄｉｏｄｅ））を備えている。
【００２４】
印字部３０は、ガイド部２２の搬送経路の途中で、フィードローラ２５のフィード方向の下流に設けられたロール紙ガイド２３の窓部に配設され、印刷ヘッド３１とこれに対向配置されたプラテン３２を備えており、図４に示すように印字ヘッド３１が図示しないスペースモータによりプラテン３２と並行に往復移動して印字ヘッド３１とプラテン３２の間に配置されたリボンガイド３３に案内されるインクリボンによりロール紙Ｐに履歴情報等を印字する。
【００２５】
なお、印字部３０は、上記のインクリボン式に限らずインク噴射式や感熱式等であってもよい。
３５はニアエンドセンサであり、ロール紙供給部１４に装填されたロール紙Ｐの外径を光学的または機械的に検知するセンサであって、ロール紙供給部１４に配置されており、ロール紙Ｐがロール紙巻取部１７に巻取られてその外径が予め定められた外径以下となった時にロール紙Ｐの残量が少なくなったことを検知する。
【００２６】
本実施例では、ジャーナル制御部１１がロール紙Ｐのニアエンドを認識して図示しない監視端末等にニアエンド警報を発した後に所定の取引件数の履歴情報、例えば３日分の履歴情報を印字できる外径を検知するように設定されている。
３６はエンドセンサであり、搬送経路を挟んで発光ダイオードと受光トランジスタとを対向させた光学式のセンサであって、ガイド部２２のロール紙ガイド２３の始端部２３ａの近傍に設置され、ロール紙ガイド２３へ進入するロール紙Ｐの先端および後端を検知する。
【００２７】
すなわち、受光トランジスタが発光ダイオードからの光を受光しているときにはロール紙Ｐの不存在を検知してＯＦＦ信号を発し、発光ダイオードからの光をロール紙が遮断しているときにはロール紙Ｐの存在を検知してＯＮ信号を発信する。
３７は識別マーク検知センサであり、搬送経路を挟んで発行部と受光部とを対向させた光透過型のセンサであって、ガイド部２２のロール紙ガイド２３のフィードローラ２５のフィード方向上流に配置され、ロール紙Ｐのおもて面一方の側端部に印刷されている識別マーク３８を検知する。
【００２８】
本実施例のロール紙Ｐには、図４に示すようにその一方の側端部に所定のピッチでロール紙Ｐの全長に渡って黒色の識別マーク３８が印刷されている。
また、ロール紙Ｐの先端は一部が斜めにカットされており、ロール紙Ｐの装填時の目視確認を容易にすると共にセット時の搬送ジャムを抑制することができる。
なお、識別マーク３８は、連続した直線として印刷しても、ロール紙Ｐの先端部の所定の長さの間に印刷するようにしてもよい。
【００２９】
また、識別マーク３８の色は、黒色に限らず識別マーク検知センサ３７が検知できる色であればどのような色であってもよい。
更に、識別マーク３８を印刷するロール紙Ｐの面は、おもて面に限らず裏面であってもよい。要はロール紙Ｐの一方の側端部の表裏どちらかの面に識別マーク３８が印刷されていればよい。
【００３０】
更に、識別マーク検知センサ３７は、上記の光透過型のセンサに限らず光反射型のセンサであってもよい。これによりロール紙Ｐの表裏どちらかの面の両方の側端部に識別マーク３８を印刷しても識別マーク検知センサ３７による検知が可能になる。
３９はセットセンサであり、エンドセンサ３６と同様の光学式のセンサであって、ガイド部２２のロール紙ガイド２３の終端部２３ｂの近傍に設置され、ロール紙巻取部１７へ導かれるロール紙Ｐの先端および後端を検知する。
【００３１】
なお、上記の巻取モータ２０や搬送モータ２６はジャーナル制御部１１によりドライブ回路を介して制御され、ニアエンドセンサ３５、エンドセンサ３６、識別マーク検知センサ３７およびセットセンサ３９は増幅回路を介して増幅された信号がジャーナル制御部１１に伝えられる。
上述した構成の作用について説明する。
【００３２】
図５は実施例の現金自動預払機の業務処理を示すフローチャート、図６は実施例のロール紙回収交換処理を示すフローチャート、図７は実施例の履歴情報検索処理を示すフローチャートである。
本実施例の現金自動預払機１のＡＴＭ制御部２は、顧客との通常の取引処理の取引履歴や係員との業務処理の業務処理履歴等を履歴情報としてジャーナル印字装置１０によりロール紙Ｐに印字して記録する。この場合の履歴情報にはＡＴＭ制御部２が採番した通番が付されており、ＡＴＭ制御部２は採番した最新の通番をＡＴＭ記憶部３に更新しながら格納する。またＡＴＭ記憶部３には、その現金自動預払機１の装置番号が予め格納されている。
【００３３】
本実施例の記録装置としてのジャーナル印字装置１０のジャーナル記憶部１３には、ロール紙Ｐを交換または回収するときにロール紙Ｐの末尾部に印字するエンド印字フォームおよびその先端部の印字するセット印字フォーム、並びに履歴情報検索を実行したときにロール紙Ｐの印字済領域に続いて印字する検索履歴印字フォームが予め設定されて格納されている。
【００３４】
また、ジャーナル記憶部１３には、セット印字をするときにロール紙Ｐの先端部に所定の白紙領域を設けて印字するためのセット印字搬送量、ロール紙Ｐの装填の際に表裏を間違えた場合にロール紙Ｐをロール紙供給部１４へ巻戻す時のセットセンサ３９からフィードローラ２５までの距離以上に相当する巻戻搬送量および履歴情報検索の際に通番毎に印字されている履歴情報を１単位として搬送するための検索ステップ搬送量が予め設定されて格納されており、履歴情報検索におけるロール紙Ｐの搬送の累積動作量を記憶するための動作量記憶エリアが確保されている。
【００３５】
本実施例の現金自動預払機１の業務処理の作動について、図５に示すフローチャートを用い、Ｓで示すステップに従って説明する。
Ｓ１、現金自動預払機１のＡＴＭ制御部２は、係員操作部９の表示画面に「ロール紙交換」や「ロール紙回収」、「履歴情報検索」等の業務選択ボタンを表示した業務選択画面を表示して待機しており、係員が業務選択ボタンを押下したときに取引処理を停止させると共に、タッチパネルの位置信号によりその業務指示を認識する。
【００３６】
Ｓ２、業務指示を認識したＡＴＭ制御部２は、係員操作部９の表示画面に係員カードによる入力を促す旨の文言を表示し、係員操作部９のカードリーダにより係員が通過させた係員カードの磁気ストライプに記録された係員識別番号や許可業務等の係員カード情報を読取る。
Ｓ３、係員カード情報を読取ったＡＴＭ制御部２は、認識した業務指示がロール紙交換業務であればステップＳ４へ移行する。それ以外の業務指示であればステップＳ５へ移行する。
【００３７】
Ｓ４、業務指示をロール紙交換業務と判定したＡＴＭ制御部２は、ロール紙の交換処理を実行する旨に係員カード情報の係員識別番号およびＡＴＭ記憶部３に格納されている現金自動預払機１の装置番号等を添付したロール紙交換処理指令を作成してステップＳ１１へ移行する。
Ｓ５、ＡＴＭ制御部２は認識した業務指示がロール紙回収業務であればステップＳ６へ移行する。それ以外の業務指示であればステップＳ７へ移行する。
【００３８】
Ｓ６、業務指示をロール紙回収業務と判定したＡＴＭ制御部２は、ロール紙の回収処理を実行する旨に係員識別番号や装置番号等を添付したロール紙回収処理指令を作成してステップＳ１１へ移行する。
Ｓ７、ＡＴＭ制御部２は認識した業務指示が履歴情報検索業務であればステップＳ９へ移行する。それ以外の業務指示であればステップＳ８へ移行する。
【００３９】
Ｓ８、上記の３つ以外の他の業務指示であることを判定したＡＴＭ制御部２は、他の業務、例えば現金自動預払機１への現金の補充業務や現金の回収業務の業務処理を通常の場合と同様に実行し、その業務処理が終了した時にステップＳ１へ戻って係員操作部９に業務選択画面を表示して待機する。
Ｓ９、業務指示を履歴情報検索業務と判定したＡＴＭ制御部２は、係員操作部９の画面に検索種別選択画面を表示する。
【００４０】
検索種別選択画面には、検索選択ボタンとして通番毎に記録されている履歴情報の通番が判っている場合にその通番の印字位置を目視できる位置、例えば図３におけるガイドローラ２４ｃとロール紙巻取軸１８の間の視認可能位置にできるだけ短時間で自動的に停止させるときに選択する「通番検索」ボタン、通番が不明な場合に係員が操作して検索する履歴情報を手動で目視できる位置に停止させるときに選択する「自由検索」ボタンおよび履歴情報検索の終了を指示するための「検索終了」ボタンが表示される。
【００４１】
係員は、目的に応じた検索選択ボタンを押下する。この場合に「通番検索」ボタンが押下されたときはＡＴＭ制御部２は次画面としてテンキー等を表示した通番入力画面を表示し、係員は検索する履歴情報の通番（検索通番という。）を入力する。
Ｓ１０、検索選択ボタンの内容を認識したＡＴＭ制御部２は、その検索選択ボタンが「通番検索」ボタンである場合は、通番検索による履歴情報の検索処理を実行する旨に入力された検索通番やＡＴＭ記憶部３に格納している最新の通番、係員識別番号、装置番号等を添付した履歴情報検索処理指令を作成し、その検索選択ボタンが「自由検索」ボタンである場合は、自由検索による履歴情報の検索処理を実行する旨に係員識別番号や装置番号等を添付した履歴情報検索処理指令を作成してステップＳ１１へ移行する。
【００４２】
Ｓ１１、ＡＴＭ制御部２は、ステップＳ４、Ｓ６またはＳ１０で作成した処理指令を接続子Ａを介して図６に示すジャーナル印字装置１０のジャーナル制御部１１が実行するロール紙回収交換処理のステップＳＡ１へ送信する。
Ｓ１２、処理指令の送信を終えたＡＴＭ制御部２は、業務指示が履歴情報検索業務である場合はステップＳ１３へ移行する。その他の２つの業務指示の場合はジャーナル制御部１１からの処理終了通知（図６のステップＳＡ１７、図７のステップＳＢ１４）および装填確認要求（図６のステップＳＡ１３）の着信を待って待機する。
【００４３】
Ｓ１３、業務指示が履歴情報検索業務である場合には、ＡＴＭ制御部２は係員操作部９の画面にステップＳ９で表示した検索種別選択画面を表示して待機し、係員の「検索終了」ボタンの押下を検知した時にステップＳ１４へ移行する。「検索終了」ボタンの押下を検知しない場合は前記の待機を継続する。
Ｓ１４、係員の「検索終了」ボタンの押下を検知したＡＴＭ制御部２は、履歴情報の検索が終了した旨を検索終了通知として接続子Ｅを介して図７に示すジャーナル制御部１１が実行する履歴情報検索処理の後述するステップＳＢ２またはＳＢ１０へ送信する。
【００４４】
その後、ＡＴＭ制御部２はジャーナル制御部１１からの処理終了通知および装填確認要求の着信を待って待機する。
ＳＡ１、一方、ジャーナル制御部１１はＡＴＭ制御部２からの処理指令の着信を待って待機しており、処理指令を受信した時にステップＳＡ２へ移行する。処理指令を受信しない場合は前記の待機を継続する。
【００４５】
ＳＡ２、ジャーナル制御部１１は受信した処理指令が履歴情報検索処理指令の場合は、接続子Ｂを介して図７に示すジャーナル制御部１１が実行する履歴情報検索処理の後述するステップＳＢ１へ分岐する。処理指令がロール紙交換処理指令またはロール紙回収処理指令の場合はステップＳＡ３へ移行する。
ＳＡ３、処理指令がロール紙交換処理指令またはロール紙回収処理指令であることを判定したジャーナル制御部１１は、そのタイマー機能により現在日時を読出してこれを取外日時と認識し、取外日時に所定の期間、例えば１年間を加えて保管期限を演算してこの保管期限、取外日時、ロール紙交換処理指令またはロール紙回収処理指令に添付されている係員識別番号や装置番号等により管理情報を作成する。
【００４６】
そして、ジャーナル記憶部１３に格納されているエンド印字フォームを読出してエンド印字フォームの所定の部位に管理情報の各データを編集してエンド印字データを生成し、印字部３０の印字ヘッド３１を制御して印字部３０に位置しているロール紙Ｐの末尾部の白紙部分にエンド印字を行う。
エンド印字としては、図８に示すようにロール紙の末尾を示す旨の文言（図８の例ではＳＨＥＥＴ  ＥＮＤ）、取外日時（２００３．０７．１８  １５：０５）、装置番号（０２）、係員識別番号（５５）および拡大文字で記された保管期限（２００４．０７．１８）等が印字される。
【００４７】
ＳＡ４、エンド印字を終えたジャーナル制御部１１は、搬送モータ２６および巻取モータ２０を正転させてエンド印字がロール紙巻取軸１８に既に巻取られているロール紙Ｐに巻付く程度にロール紙Ｐをフィード搬送し、ロール紙Ｐをロール紙巻取軸１８に巻取って停止させる。
係員は、ロール紙巻取部１７に巻取られたロール紙Ｐのエンド印字を目視確認してカッタ等によりロール紙Ｐを切断し、ロール紙巻取部１７に巻取られているロール紙Ｐの末尾部に取外日時等のエンド印字が施された印字済のロール紙Ｐを取り出す。
【００４８】
なお、前記の切断作業は、例えばロール紙ガイドの終端部２３ｂの端面を案内面として切断すれば容易に作業ができる。
また、係員が係員カードによる入力（図５のステップＳ２）を行ってから本ステップまでの所要時間は、係員が係員操作部９を操作してからロール紙Ｐに触れるまでの時間よりは短い時間である。
【００４９】
その後、係員はロール紙Ｐの回収業務のときはロール紙Ｐをそのままにする。
また、交換業務のときはセットスイッチ２７をバックフィード方向に倒して押し続け、残ったロール紙Ｐの切断された先端がフィードローラ２５から離れるまでバックフィード搬送し、ロール紙供給部１４に巻戻してロール紙Ｐをロール紙供給軸１６から取外し、新たなロール紙Ｐにロール紙供給軸１６を挿入してＵ字溝１９をカップギア２１の２面幅に遊嵌させて支持部１５ａに取付ける。これにより新たなロール紙Ｐがロール紙供給部１４に装填される。
【００５０】
そして、係員は装填した新たなロール紙Ｐの先端をロール紙供給部１４から引出し、ガイドローラ２４ａに掛けてロール紙ガイド２３の始端部２３ａに挿し込み、フィードローラ２５に噛み込ませる。
ＳＡ５、ジャーナル制御部１１は、エンドセンサ３６の状態を確認し、エンドセンサ３６がＯＦＦの場合はエンドセンサ３６のＯＮを待って待機する。エンドセンサ３６がＯＮであればステップＳＡ６へ移行する。
【００５１】
この場合に、回収業務のときはエンドセンサ３６はＯＮであり、交換業務のときは係員がロール紙ガイド２３に挿し込んだロール紙Ｐの先端がエンドセンサ３６を通過した時にＯＮとなる。
ＳＡ６、エンドセンサ３６がＯＮであることを確認したジャーナル制御部１１は、係員のセットスイッチ２７の操作を待って待機し、係員がセットスイッチ２７をフィード方向に倒した時にステップＳＡ７へ移行する。
【００５２】
ＳＡ７、セットスイッチ２７がフィード方向に倒されたことを認識したジャーナル制御部１１は、セットセンサ３９の状態を確認し、セットセンサ３９がＯＦＦの場合はステップＳＡ８へ移行し、セットセンサ３９がＯＮであればステップＳＡ９へ移行する。
ＳＡ８、セットセンサ３９がＯＦＦであることを認識したジャーナル制御部１１は、搬送モータ２６を正転させてフィードローラ２５によりロール紙Ｐを印字部３０のリボンガイド３３とプラテン３２の間を通過させてフィード方向に搬送する。この時巻取モータ２０は回転しない。
【００５３】
そして、セットスイッチ２７がＯＮであり、かつセットセンサ３９がＯＦＦである間は前記の搬送を継続し、セットセンサ３９をロール紙Ｐの先端が通過してセットセンサ３９がＯＮとなった時にロール紙Ｐの搬送を停止してステップＳＡ９へ移行する。
なお、回収業務のときはセットセンサ３９はＯＮであるため、ロール紙Ｐは停止した状態である。
【００５４】
ＳＡ９、セットセンサ３９がＯＮであることを認識したジャーナル制御部１１は、ジャーナル記憶部１３に格納されているセット印字搬送量を参照し、搬送モータ２６をセット印字搬送量に相当する分正転させてロール紙Ｐをフィード方向に搬送し、セット印字位置にロール紙Ｐを停止させる。
ＳＡ１０、この時ジャーナル制御部１１は、識別マーク検知センサ３７の検知状態を確認し、識別マーク検知センサ３７がロール紙Ｐのおもて面の識別マーク３８を検知しているときはステップＳＡ１５へ移行する。搬送の間に識別マーク３８を検知しない場合はステップＳＡ１１へ移行する。
【００５５】
ＳＡ１１、識別マーク検知センサ３７が識別マーク３８を検知しないことを認識したジャーナル制御部１１は、ステップＳＡ１で受信した処理指令がロール紙回収処理指令である場合はステップＳＡ１５へ移行し、ロール紙交換処理指令である場合はロール紙Ｐの装填の際に表裏を間違えたと判定してステップＳＡ１２へ移行する。
ＳＡ１２、交換業務におけるロール紙Ｐの表裏を間違えたことを判定したジャーナル制御部１１は、ジャーナル記憶部１３に格納されている巻戻搬送量を参照し、搬送モータ２６と巻取モータ２０を逆転させてロール紙Ｐをバックフィード搬送し、セットセンサ３９がロール紙Ｐの先端を検知、つまりＯＦＦとなってから巻戻搬送量に相当する分を巻戻してフィードローラ２５によるロール紙Ｐの挟持を解除する。これにより係員は容易にロール紙Ｐをロール紙供給部１４から取外すことができる。
【００５６】
ＳＡ１３、フィードローラ２５によるロール紙Ｐの挟持を解除したジャーナル制御部１１は、係員によるロール紙Ｐの装填方向の確認を要求するための装填確認要求を接続子Ｃを介してＡＴＭ制御部２が実行する業務処理のステップＳ１５、Ｓ１８（図５）による着信待機へ送信する。
Ｓ１５、ジャーナル制御部１１からの装填確認要求の着信を待って待機していたＡＴＭ制御部２は、装填確認要求を受信した時にステップＳ１６へ移行する。装填確認要求を受信しない場合はステップＳ１８へ移行する。
【００５７】
Ｓ１６、装填確認要求を受信したＡＴＭ制御部２は、係員操作部９の画面にロール紙Ｐの装填方向の確認および修正を促す旨の文言等を表示した装填確認依頼画面を表示する。
この表示を確認した係員は、ロール紙Ｐをロール紙供給部１４から取外し、上記ステップＳＡ４の交換業務の場合と同様にして取外したロール紙Ｐの装填方向を反転させてロール紙供給部１４にロール紙Ｐを再装填する。
【００５８】
Ｓ１７、装填確認依頼画面を表示したＡＴＭ制御部２は、その表示を終えた旨を表示終了通知として接続子Ｄを介してジャーナル制御部１１が実行するロール紙回収交換処理のステップＳＡ１４（図６）へ送信する。
ＳＡ１４、装填確認要求の送信後にＡＴＭ制御部２からの表示終了通知の着信を待って待機していたジャーナル制御部１１は、表示終了通知を受信した時にステップＳＡ５へ移行する。表示終了通知を受信しない場合は前記の待機を継続する。
【００５９】
ステップＳＡ５へ移行したジャーナル制御部１１は、再度ステップＳＡ５〜ＳＡ１０の作動を実行し、ステップＳＡ１０において識別マーク３８の検知を認識してステップＳＡ１５へ移行する。
ＳＡ１５、識別マーク３８の検知を認識した、またはステップＳＡ１１においてロール紙回収業務と認識したジャーナル制御部１１は、そのタイマー機能により現在日時を読出してこれを取付日時と認識し、この取外日時とロール紙交換処理指令またはロール紙回収処理指令に添付されている係員識別番号や装置番号等によりセット情報を作成する。
【００６０】
そして、ジャーナル記憶部１３に格納されているセット印字フォームを読出してセット印字フォームの所定の部位にセット情報の各データを編集してセット印字データを生成し、印字部３０の印字ヘッド３１を制御して印字部３０に位置しているロール紙Ｐの先頭部の白紙部分にセット印字を行う。
セット印字としては、図９に示すようにロール紙の先頭を示す旨の文言（図９の例ではＳＨＥＥＴ  ＳＥＴ）、取付日時（２００３．０７．１８  １５：２５）、装置番号（０２）および係員識別番号（５５）等が印字される。
【００６１】
なお、セット印字を行うセット情報として図９に示すようにインクリボンの交換時期の予想等の保守情報を加えて印字するようにしてもよい。この場合にインクリボンの交換時期の予想は、履歴情報を印字した文字数または印字した履歴情報の件数をインクリボンの交換時からジャーナル記憶部１３に累積して格納しておき、１日の印字量の平均値を求めてインクリボンの残余の使用可能日数を演算し、その使用可能日数を取付日時に加算して交換時期の予想を行うようにする。
【００６２】
ＳＡ１６、セット印字を終えたジャーナル制御部１１は、搬送モータ２６および巻取モータ２０を正転させてセット印字がロール紙巻取軸１８に巻付く程度にロール紙Ｐをフィード方向に搬送して停止させる。
係員は、ロール紙Ｐのセット印字を目視確認してロール紙巻取軸１８に設けられたスリットにロール紙Ｐの先端部を挿し込み一回以上巻付ける。これによりロール紙Ｐの交換または回収業務が終了し、先頭部に取付日時等のセット印字が施されたロール紙Ｐがロール紙巻取部１７に巻取られながら履歴情報等の印字が行える状態でセットされる。
【００６３】
なお、前記のロール紙巻取軸１８に先端部を一回以上巻付けたロール紙Ｐをセットスイッチ２７を操作して更にロール紙巻取軸１８に巻付けるようにしてもよい。
ＳＡ１７、ロール紙Ｐの交換または回収業務を終えたジャーナル制御部１１は、処理が終了した旨を処理終了通知として接続子Ｃを介してＡＴＭ制御部２が実行する業務処理のステップＳ１５、Ｓ１８（図５）による着信待機へ送信する。
【００６４】
Ｓ１８、処理終了通知を受信したＡＴＭ制御部２は、ステップＳ１５から本ステップへ移行し、ジャーナル制御部１１からの処理終了通知を受信した時に現金自動預払機１の業務修理を終了させ、ステップＳ１へ戻って係員操作部９に業務選択画面を表示して待機する。処理終了通知を受信しない場合はステップＳ１５、Ｓ１８による着信待機を継続する。
【００６５】
上記のようにして、ロール紙供給部１４から引出されたロール紙Ｐが、ガイド部２２を経由してロール紙巻取部１７に巻取られている状態でジャーナル印字装置１０にセットされ、現金自動預払機１は顧客との通常の取引処理等を実行しながら、その履歴情報をロール紙Ｐに印字して記録する。
この印字された履歴情報を係員が検索する場合のジャーナル制御部１１による履歴情報検索処理の作動について、図７に示すフローチャートを用い、ＳＢで示すステップに従って説明する。
【００６６】
ＳＢ１、上記ロール紙回収交換処理のステップＳＡ２（図６）から接続子Ｂを介して分岐したジャーナル制御部１１は、ジャーナル記憶部１３の動作量記憶エリアの累積動作量を「０」にリセットし、受信した履歴情報検索処理指令が通番検索による履歴情報の検索処理の場合はステップＳＢ９へ移行し、自由検索による履歴情報の検索処理の場合はステップＳＢ２へ移行する。
【００６７】
ＳＢ２、履歴情報検索処理が自由検索によるものと判定したジャーナル制御部１１は、上記ＡＴＭ制御部２（図５のステップＳ１４）からの検索終了通知の着信を待って待機し、検索終了通知を受信した時にステップＳＢ１１へ移行する。検索終了通知を受信しない場合はステップＳＢ３へ移行する。
ＳＢ３、検索終了通知が着信していないことを認識したジャーナル制御部１１は、セットスイッチ２７のＯＮを待って待機し、セットスイッチ２７のＯＮを検知した時にステップＳＢ３へ移行する。セットスイッチ２７のＯＮを検知しない場合は前記の検索終了通知着信待機および本ステップの待機を継続する。
【００６８】
ＳＢ４、セットスイッチ２７のＯＮを検知したジャーナル制御部１１は、係員がセットスイッチ２７を倒した搬送方向を確認し、セットスイッチ２７がフィード搬送に倒されていればステップＳＢ５へ、バックフィード搬送に倒されていればステップＳＢ４へ移行する。
ＳＢ５、セットスイッチ２７がバックフィード搬送に倒されていると判定したジャーナル制御部１１は、ジャーナル記憶部１３に格納されている検索ステップ搬送量を参照し、搬送モータ２６と巻取モータ２０を検索ステップ搬送量に相当する分逆転させてフィードローラ２５により１履歴情報分のロール紙Ｐをバックフィード搬送し、これをロール紙供給軸１６に巻取る。
【００６９】
ＳＢ６、セットスイッチ２７がフィード搬送に倒されていると判定したジャーナル制御部１１は、ジャーナル記憶部１３に格納されている検索ステップ搬送量を参照し、搬送モータ２６と巻取モータ２０を検索ステップ搬送量に相当する分正転させてフィードローラ２５により１履歴情報分のロール紙Ｐをフィード搬送し、これをロール紙巻取軸１８に巻取る。
【００７０】
ＳＢ７、１履歴情報分のロール紙Ｐのバックフィード搬送またはフィード搬送を終えたジャーナル制御部１１は、バックフィード搬送を行った場合はジャーナル記憶部１３の動作量記憶エリアの累積動作量から検索ステップ搬送量を減算し、フィード搬送を行った場合は累積動作量に検索ステップ搬送量を加えて累積動作量を更新し、ステップＳＢ２へ戻って上記の手動による検索を継続する。
【００７１】
係員は、１履歴情報毎に搬送されるロール紙Ｐを目視しながら目的の履歴情報を見つけ出し、その履歴情報に訂正やメモの書込み等を行い、履歴情報の検索が終了すると係員操作部９の「検索終了」ボタンを押下する。これを検知したＡＴＭ制御部２は上記のステップＳ１４（図５）により検索終了通知を送信し、これをステップＳＢ２で受信したジャーナル制御部１１は自由検索処理を終了させてステップＳＢ１１へ移行する。
【００７２】
ＳＢ８、履歴情報検索処理が通番検索によるものと判定したジャーナル制御部１１は、履歴情報検索処理の検索通番から最新の通番を減算してジャーナル記憶部１３に格納されている検索ステップ搬送量を乗算し、視認可能位置までの搬送量を加算または減算（本実施例では加算）してロール紙Ｐの巻戻し量を演算し、これを累積動作量としてジャーナル記憶部１３の動作量記憶エリアに格納する。
【００７３】
ＳＢ９、ロール紙Ｐの巻戻し量の演算を終えたジャーナル制御部１１は、搬送モータ２６と巻取モータ２０を巻戻し量に相当する分逆転させてロール紙Ｐをバックフィード搬送し、これをロール紙供給軸１６に巻取って巻戻し、検索通番の履歴情報を自動的に視認可能位置に搬送する。この場合の搬送は連続搬送であっても１履歴情報毎の搬送であってもよい。
【００７４】
ＳＢ１０、ロール紙Ｐの巻戻しを終えたジャーナル制御部１１は、上記ＡＴＭ制御部２（図５のステップ１４）からの検索終了通知の着信を待って待機し、検索終了通知を受信した時にステップＳＢ１１へ移行する。検索終了通知を受信しない場合は前記の待機を継続する。
係員は、視認可能位置に搬送されたロール紙Ｐの履歴情報を確認し、その履歴情報に訂正やメモの書込み等を行って係員操作部９の「検索終了」ボタンを押下する。これによりＡＴＭ制御部２から検索終了通知が送信され、これを受信したジャーナル制御部１１は通番検索処理を終了させてステップＳＢ１１へ移行する。
【００７５】
ＳＢ１１、検索終了通知を受信したジャーナル制御部１１は、ジャーナル記憶部１３の動作量記憶エリアから累積動作量を読出し、これに印字済領域との重複を防止するための白紙部分の搬送量を加算してロール紙Ｐの送り量を演算する。
ＳＢ１２、送り量の演算を終えたジャーナル制御部１１は、搬送モータ２６と巻取モータ２０を送り量に相当する分正転させてロール紙Ｐをフィード搬送し、これをロール紙巻取軸１８に巻取って検索履歴印字位置にロール紙Ｐを停止させる。
【００７６】
ＳＢ１３、検索履歴印字位置にロール紙Ｐを停止させたジャーナル制御部１１は、そのタイマー機能により現在日時を読出してこれを検索日時と認識し、この検索日時と履歴情報検索処理指令に添付されている係員識別番号等により検索履歴情報を作成する。
そして、ジャーナル記憶部１３に格納されている検索履歴印字フォームを読出して検索履歴印字フォームの所定の部位に検索履歴情報の各データを編集して検索履歴印字データを生成し、印字部３０の印字ヘッド３１を制御して印字部３０に位置しているロール紙Ｐの印字済領域に続く白紙部分に検索日時等の検索履歴印字を行う。
【００７７】
検索履歴印字としては、図１０に示すように検索履歴印字であることを識別するための記号または文字（図１０の例では＊の連続印字）、検索日時（２００３．０７．１０  １３：１０）および係員識別番号（３０）等が印字される。
ＳＢ１４、検索履歴印字を終えたジャーナル制御部１１は、処理が終了した旨を処理終了通知として接続子Ｃを介してＡＴＭ制御部２が実行する業務処理のステップＳ１５、Ｓ１８（図５）による着信待機へ送信する。
【００７８】
その後の作動は、上記ステップＳ１８の作動と同様であるのでその説明を省略する。
以上説明したように、本実施例では、ロール紙のおもて面に印刷した識別マークをガイド部に設けた識別マーク検知センサにより検知してロール紙の表裏を判定するようにしたことによって、ロール紙の表裏を間違えることなくロール紙をロール紙供給部に装填することができ、搬送ピッチずれ等による印字の重複等を防止することができる。
【００７９】
また、識別マーク検知センサが識別マークを検知しないとき、つまり表裏を間違えてロール紙を装填したときにロール紙をロール紙供給部に巻戻すようにしたことによって、フィードローラによるロール紙の挟持が自動的に解除され、容易にロール紙をロール紙供給部から取出すことができ、ロール紙の交換を行う係員の負担を軽減することができる。
更に、ロール紙の交換または回収の際にロール紙をロール紙巻取部から取外すときに、ロール紙の末尾部にロール紙の取外日時等の管理情報を印字するようにしたことによって、ロール紙巻取部から取外した後のロール紙を視認により容易に区別することができ、履歴情報を記録したロール紙の管理を容易にして係員の負担を軽減することができる。
【００８０】
更に、ロール紙の先端をロール紙巻取部に巻付けるときに、ロール紙の先端部に取付日時等のセット情報を印字するようにしたことによって、履歴情報を記録したロール紙の管理を更に容易にすることができる。
更に、管理情報に保管期限を加えて印字するようにしたことによって、記録済のロール紙の保守管理を容易に行うことができると共に、保管期限を拡大文字で印字するようにすればその視認性をより高めることができる。
【００８１】
更に、セット情報にインクリボンの交換時期の予想値を加えて印字するようにしたことによって、インクリボンの保守管理を容易に行うことができる。
更に、ロール紙がロール紙供給部から引出され、ガイド部を経由してロール紙巻取部に巻取られている状態で、ロール紙がロール紙供給部に巻戻されたとき、つまり履歴情報の検索が行われたときに、ロール紙の印字済領域に続けてその日時、つまり検索日時を印字するようにしたことによって、悪意による取引履歴の改竄や書込みを抑止することができると共に訂正すべき取引履歴に直接訂正やメモを書込むことができる。
【００８２】
更に、セットスイッチの操作のみでロール紙を正逆可能に１履歴情報毎に搬送するようにしたことによって、履歴情報の視認性を高めて目的とする履歴情報を容易に検索することができる。
更に、検索通番を入力することにより自動的のその通番の履歴情報を視認可能位置に停止させるようにしたことによって、係員の負担を軽減して短時間で目的とする履歴情報を容易に検索することができる。
【００８３】
更に、検索終了後に自動的に次の履歴情報の印字位置にロール紙を自動的に搬送するようにしたことによって、係員を煩わしさを解消することができる。
なお、本実施例においては、ロール紙の表裏の判定をロール紙のおもて面に印刷した識別マークにより行うとして説明したが、図１１に示す他の態様によってもロール紙の表裏を判定することができる。
【００８４】
すなわち、図１１に示すようにロール状の記録用紙の側面の一方に着色（例えば黒色）し、他方を着色しないようにしておき、光反射型の識別マーク検知センサ３７により着色した側面を検出するようにしてもよい。これによりロール紙をロール紙供給部に装填したときにロール紙の表裏判定を即座に行うことができ、ロール紙装填作業の効率化を図ることができる。
【００８５】
また、本実施例の交換業務の場合に、ロール紙の残量が少ないのときには、係員は切断作業を省略してセットスイッチをフィード方向に倒して押し続け、残ったロール紙をロール紙巻取部に全て巻取ってロール紙Ｐをロール紙巻取部１７から取外し、その後にロール紙供給軸に残った筒状の厚紙をロール紙供給軸から取外し、上記で説明したのと同様にして新たなロール紙をロール紙供給部に装填するようにしてもよい。
【００８６】
更に、履歴情報検索の場合に、係員は係員操作部の「履歴情報検索」ボタンを押下するとして説明したが、例えばジャーナル印刷装置のカバーを係員が開けた時に履歴情報検索業務であることを検知して自動的に最後の履歴情報を視認可能位置にフィード搬送するようにしてもよい。
更に、履歴情報検索の検索の終了は、係員の「検索終了」ボタンを押下により認識するとして説明したが、検索終了の認識は、例えば係員操作部の扉の閉検知や取引停止の解除操作の検知により行うようにしてもよい。
【００８７】
本実施例においては、記録装置は現金自動預払機に組込まれたジャーナル印字装置として説明したが、記録装置を一つのユニットとしてＬＡＮ等で接続して用いるようにしてもよく、上記の係員操作部と同様の機能を追加して独立した記録装置として用いるようにしてもよい。
また、本発明の記録装置は、スーパーマーケット等で使用されるＰＯＳ端末のレシート印字部や、温度や湿度の変化および地震振動等の自動記録計に適用しても上記と同様の効果を奏することができる。
【図面の簡単な説明】
【００８８】
【図１】実施例の現金自動預払機を示すブロック図
【図２】実施例のジャーナル印字装置を示すブロック図
【図３】実施例のジャーナル印字装置の側面を示す説明図
【図４】図３の下面を示す説明図
【図５】実施例の現金自動預払機の業務処理を示すフローチャート
【図６】実施例のロール紙回収交換処理を示すフローチャート
【図７】実施例の履歴情報検索処理を示すフローチャート
【図８】実施例のロール紙末尾部のエンド印字の印字例
【図９】実施例のロール紙先頭部のセット印字の印字例
【図１０】実施例の検索履歴印字の印字例
【図１１】ロール紙の表裏判定の他の態様を示す説明図
【符号の説明】
【００８９】
１    現金自動預払機
２    ＡＴＭ制御部
３    ＡＴＭ記憶部
４    顧客操作部
５    カード取扱部
６    通帳取扱部
７    紙幣入出金部
８    硬貨入出金部
９    係員操作部
１０  ジャーナル印字装置
１１  ジャーナル制御部
１２  インターフェース部
１３  ジャーナル記憶部
１４  ロール紙供給部
１５  フレーム
１５ａ、１５ｂ  支持部
１６  ロール紙供給軸
１７  ロール紙巻取部
１８  ロール紙巻取軸
１９  Ｕ字溝
２０  巻取モータ
２１  カップギア
２２  ガイド部
２３  ロール紙ガイド
２３ａ  始端部
２３ｂ  終端部
２４ａ、２４ｂ、２４ｃ  ガイドローラ
２５  フィードローラ
２６  搬送モータ
２７  セットスイッチ
３０  印字部
３１  印字ヘッド
３２  プラテン
３３  リボンガイド
３５  ニアエンドセンサ
３６  エンドセンサ
３７  識別マーク検知センサ
３８  識別マーク
３９  セットセンサ
【図１】
2005206349.tif 000003
【図２】
2005206349.tif 000004
【図３】
2005206349.tif 000005
【図４】
2005206349.tif 000006
【図５】
2005206349.tif 000007
【図６】
2005206349.tif 000008
【図７】
2005206349.tif 000009
【図８】
2005206349.tif 000010
【図９】
2005206349.tif 000011
【図１０】
2005206349.tif 000012
【図１１】
2005206349.tif 000013